(57)【要約】【課題】  粘着性のテープを切っても粘着物の付着が少なくて切れ味が悪くならず、更に薄い紙から厚い紙まで総合的な切れ味を確保できるハサミを提供する。【解決手段】  刃体１の刃線の内側にその刃線に沿って溝部４を形成し、その溝部４によって刃体１の内側の面が刃線側の刃体前部１ａと峰側の刃体後部１ｂとに分離されると共に、溝部４の幅を刃体後部１ｂの幅より短くし、当該溝部４の一部に渡り部６を形成したハサミであり、溝部４により粘着物の付着を防止でき、溝部４以外では刃体１相互の内側の接触面積を大きくして厚い紙等も容易に切ることができ、渡り部６によって一方の刃先が他方の溝部４にはまってしまうことがない。【選択図】        図３
0003180584.tif 000002
【実用新案登録請求の範囲】
【請求項１】
２つの刃体が交差部で交差し、前記交差部で回転可能に固定されるハサミであって、
交差する刃体の内側の面に、刃線に沿って当該刃線の内側に溝部が形成され、
当該溝部によって前記刃体の内側の面が前記刃線側の刃体前部と峰側の刃体後部とに分離されると共に、前記溝部の幅を前記刃体後部の幅より短くし、
前記溝部の途中に前記刃体前部と前記刃体後部をつなぐ渡り部を設けたことを特徴とするハサミ。
【請求項２】
溝部は、入口が広く、底面は狭いテーパー状としたことを特徴とする請求項１記載のハサミ。
【請求項３】
２つの刃体の双方に溝部と渡り部を設けたことを特徴とする請求項１又は２記載のハサミ。
【請求項４】
２つの刃体の一方には溝部と渡り部を設け、他方には途中に渡り部を備えない溝部を設けたことを特徴とする請求項１又は２記載のハサミ。
【請求項５】
２つの刃体が交差部で交差し、前記交差部で回転可能に固定されるハサミであって、
交差する刃体の内側の面に、刃線に沿って当該刃線の内側に溝部が形成され、
当該溝部によって前記刃体の内側の面が前記刃線側の刃体前部と峰側の刃体後部とに分離されると共に、前記溝部の幅を前記刃体後部の幅より短くし、
前記刃体の刃先に前記刃体前部と前記刃体後部をつなぐ渡り部を設けたことを特徴とするハサミ。
【考案の詳細な説明】
【技術分野】
【０００１】
本考案は、ハサミに係り、特に、粘着性のテープ等をカットした場合に、刃体がべたつくことがないハサミに関する。
【背景技術】
【０００２】
［先行技術の説明］
従来、通常のハサミで粘着性のテープ等をカットした場合は、刃体内側にテープ等の粘着物が付着し、その後、ハサミを閉じた状態から刃体を開きにくくなり、切れ味も悪化するという問題点があった。
【０００３】
そこで、特開２０１０−２６４２２９号公報「鋏」（コクヨ株式会社）［特許文献１］に開示されているように、刃体の接触面積を少なくした構成とし、粘着物の付着を非常に少なくして、切れ味を維持するものがある。
【先行技術文献】
【特許文献】
【０００４】
【特許文献１】特開２０１０−２６４２２９号公報
【考案の概要】
【考案が解決しようとする課題】
【０００５】
しかしながら、上記特許文献１に示した構成では、テープ等の粘着物の付着は防止できるものの、刃体相互の接触部分が少ないため、厚い紙等を切るのに適さず、薄い紙から厚い紙まで総合的な切れ味を確保するものとはならないという問題点があった。
【０００６】
本考案は上記実情に鑑みて為されたもので、粘着性のテープを切っても粘着物の付着が少なくて切れ味が悪くならず、更に薄い紙から厚い紙まで総合的な切れ味を確保できるハサミを提供することを目的とする。
【課題を解決するための手段】
【０００７】
上記従来例の問題点を解決するための本考案は、２つの刃体が交差部で交差し、交差部で回転可能に固定されるハサミであって、交差する刃体の内側の面に、刃線に沿って当該刃線の内側に溝部が形成され、当該溝部によって刃体の内側の面が刃線側の刃体前部と峰側の刃体後部とに分離されると共に、溝部の幅を刃体後部の幅より短くし、溝部の途中に刃体前部と刃体後部をつなぐ渡り部を設けたことを特徴とする。
【０００８】
本考案は、上記ハサミにおいて、溝部は、入口が広く、底面は狭いテーパー状としたことを特徴とする。
【０００９】
本考案は、上記ハサミにおいて、２つの刃体の双方に溝部と渡り部を設けたことを特徴とする。
【００１０】
本考案は、上記ハサミにおいて、２つの刃体の一方には溝部と渡り部を設け、他方には途中に渡り部を備えない溝部を設けたことを特徴とする。
【００１１】
本考案は、２つの刃体が交差部で交差し、交差部で回転可能に固定されるハサミであって、交差する刃体の内側の面に、刃線に沿って当該刃線の内側に溝部が形成され、当該溝部によって刃体の内側の面が刃線側の刃体前部と峰側の刃体後部とに分離されると共に、溝部の幅を刃体後部の幅より短くし、刃体の刃先に刃体前部と刃体後部をつなぐ渡り部を設けたことを特徴とする。
【考案の効果】
【００１２】
本考案によれば、２つの刃体が交差部で交差し、交差部で回転可能に固定され、交差する刃体の内側の面に、刃線に沿って当該刃線の内側に溝部が形成され、当該溝部によって刃体の内側の面が刃線側の刃体前部と峰側の刃体後部とに分離されると共に、溝部の幅を刃体後部の幅より短くし、溝部の途中に刃体前部と刃体後部をつなぐ渡り部を設けたハサミとしているので、粘着性のテープを切っても粘着物の付着が少なくて切れ味が悪くならず、更に薄い紙から厚い紙まで総合的な切れ味を確保できる効果がある。
【００１３】
本考案によれば、２つの刃体が交差部で交差し、交差部で回転可能に固定され、交差する刃体の内側の面に、刃線に沿って当該刃線の内側に溝部が形成され、当該溝部によって刃体の内側の面が刃線側の刃体前部と峰側の刃体後部とに分離されると共に、溝部の幅を刃体後部の幅より短くし、刃体の刃先に刃体前部と刃体後部をつなぐ渡り部を設けたハサミとしているので、粘着性のテープを切っても粘着物の付着が少なくて切れ味が悪くならず、更に薄い紙から厚い紙まで総合的な切れ味を確保できる効果がある。
【図面の簡単な説明】
【００１４】
【図１】第１のハサミにおける刃体の内側を示す平面図である。
【図２】第１のハサミの刃体が重なった状態を示す図である。
【図３】第２のハサミにおける刃体の内側を示す平面図である。
【図４】第２のハサミにおける刃体の外側を示す平面図である。
【図５】図３のＡ−Ａ部分の断面図である。
【図６】第２のハサミの全体を示す概略図である。
【図７】キャップの概略図である。
【図８】キャップを装着した概略図である。
【考案を実施するための形態】
【００１５】
本考案の実施の形態について図面を参照しながら説明する。
［実施の形態の概要］
本考案の実施の形態に係るハサミは、刃体の刃線の内側にその刃線に沿って溝部を形成し、その溝部によって刃体の内側の面が刃線側の刃体前部と峰側の刃体後部とに分離されると共に、溝部の幅を刃体後部の幅より短くし、当該溝部の一部に渡り部を形成したものであり、溝部によって粘着物の付着を防止でき、溝部以外では刃体内側の接触面積を大きくしているため、厚い紙等も容易に切ることができ、更に渡り部によって一方の刃先が他方の溝部にはまってしまってハサミが開きにくくなることがないものである。
【００１６】
［第１のハサミ：図１．２］
本考案の第１の実施の形態に係るハサミ（第１のハサミ）について図１、図２を参照しながら説明する。図１は、第１のハサミにおける刃体の内側を示す平面図であり、図２は、第１のハサミの刃体が重なった状態を示す図である。
第１のハサミは、図１に示すように、刃体１に、交差部２が設けられ、刃部３の刃線に沿って内側に溝部４が形成され、更に刃先に渡り部５が形成されている。
【００１７】
［第１のハサミの各部］
交差部２は、２枚の刃体１が交差する部分にてネジで固定され、２つの刃体１が回転可能に動作するものである。
刃部３は、紙等をカットする刃線であり、交差部２の近傍から刃先まで端部が鋭利な形状となっている。
【００１８】
溝部４は、刃体１の内側の面（他の刃体１と接触する面）に凹形状で形成され、刃部３の刃線に沿って、特定の幅を保って少し内側に形成されている。
この溝部４によって刃体１の内側の面が刃体前部１ａと刃体後部１ｂに分けられる。刃体前部１ａは、溝部４に対して刃線側に形成される領域であり、刃体後部１ｂは、溝部４に対して峰側に形成される領域である。
例えば、溝部４は、刃線から約１．３mm程度内側に、約１．７mm程度の幅で、約０．２５mmの深さで、長さ約６５mm程度形成されている。
【００１９】
そして、刃先部分には、溝部４が形成されていない渡り部５が形成されている。渡り部５は、刃体前部１ａと刃体後部１ｂとを繋いで、約３mm程度の幅となっている。つまり、渡り部５は、刃体前部１ａと刃体後部１ｂと同じ平面となっている。
【００２０】
また、図２に示すように、交差する２つの刃体１は、同様の構成となっている。図２では、２つの刃体１が重なった状態を示しており、溝部４は隠れて見えないため、点線で示している。
【００２１】
［第１のハサミの効果］
第１のハサミでは、溝部４を設けているため、テープ等を切った場合に、粘着物が付着することが少なく、切れ味を良好に維持することができる効果がある。
また、第１のハサミでは、溝部４の幅を刃体後部１ｂの幅に比べて短くしているので、２つの刃体１同士が接触する面積が大きくなり、厚い紙でも容易に切ることができる効果がある。
更に、第１のハサミでは、溝部４に対して渡り部５を刃先に設けているので、刃線の先端部が溝部４にはまり込むことがなく、ハサミが開くにくくなることがない。
【００２２】
［第２のハサミ：図３〜６］
次に、本考案の第２の実施の形態に係るハサミ（第２のハサミ）について図３〜６を参照しながら説明する。図３は、第２のハサミにおける刃体の内側を示す平面図であり、図４は、第２のハサミにおける刃体の外側を示す平面図であり、図５は、図３のＡ−Ａ部分の断面図であり、図６は、第２のハサミの全体を示す概略図である。
【００２３】
［第２のハサミの刃体内側：図３］
第２のハサミは、図３に示すように、基本的には第１のハサミと同様であり、相違する点は、渡り部６が溝部４の途中に設けられている点である。
つまり、溝部４は、刃先まで形成されており、刃先から内側に特定の幅入った位置に渡り部６が形成されている。第１のハサミの渡り部５は、刃先に設けられ、第２のハサミの渡り部６は、溝部４の途中に設けられているため、符号を異にして区別している。
尚、渡り部６は、第１のハサミの渡り部５と同様に、刃体前部１ａと刃体後部１ｂをつなぐもので、刃体前部１ａと刃体後部１ｂと同じ平面となっている。
【００２４】
第２のハサミの渡り部６を溝部４の途中に設けるようにしているのは、溝部４を刃先まで形成するためである。これにより、刃先にテープ等の粘着物が付着するのを防止して、特に刃先の切れ味を確保できる効果がある。
また、渡り部６は、溝部４の刃元に近い場所では、刃先が溝部４に入り込むのを防止するのに十分ではないため、溝部４の長さ方向の中央部分から刃先方向に設けるようにした方が望ましい。
【００２５】
例えば、溝部４は、刃線から約１．０mm程度内側に、約２．８mm程度の幅で、約０．４５mm程度の深さで、長さ約５５mm程度形成されている。
また、渡り部６は、刃先から約３mm程度内側で約１mm程度の幅で形成されている。
尚、刃先の溝部４の部分を、先端溝部７としている。
【００２６】
［第２のハサミの刃体外側：図４］
また、第２のハサミでは、図３，４に示すように、一方の刃体１にたけひごを切るための切断孔８が設けられている。
この切断孔８は、ハサミを開いた状態で、切断孔８にたけひごを挿入し、他方の刃体１の刃部３でたけひごを切断するものである。
【００２７】
［第２のハサミの刃体断面：図５］
そして、第２のハサミの溝部４は、図５の断面図に示すように、テーパー状となっていて、深さが約０．４５ｍｍ程度で、テーパーの上部（溝部４の入口）の幅が約２．８mm程度であり、テーパーの下部（底面）の幅が約１．５mm程度である。
第２のハサミで、溝部４をテーパー状としたのは、溝の加工を容易にするためである。また、図５では、溝部４をテーパー状としたが、テーパー状ではなく入口と底面の幅が同じとなる凹形状としてもよい。
尚、図３のＡ−Ａ部分で、刃体前部１ａが約１．０mm程度、刃体後部１ｂが約６．５mm程度である。
【００２８】
［第２のハサミの全体：図６］
第２のハサミの全体の概略は、図６に示すように、２つの刃体１にそれぞれハンドル部９ａ，９ｂが取り付けられている。
図６のハサミは、子供用のハサミとなっており、ハンドル部９ａのリングには親指を挿入し、ハンドル部９ｂのリングには人差指、中指、薬指が挿入されるようになっている。よって、ハンドル部９ａのリングよりハンドル部９ｂのリングの方が大きく形成されている。
【００２９】
また、ハンドル部９は、ＰＰ（ポリプロピレン）樹脂とエラストマー樹脂で形成され、特にリングの内側で指が当たる部分にはエラストマー樹脂による柔軟性のある素材が用いられている。
尚、刃体１は、例えば、ステンレス鋼が用いられている。
【００３０】
［キャップ：図７］
次に、第２のハサミに装着されるキャップについて図７を参照しながら説明する。図７は、キャップの概略図であり、（ａ）が側面図であり、（ｂ）が正面図である。
図７に示すように、キャップ１０は、第２のハサミを閉じた状態で刃先から覆う構成となっており、刃先を覆う部分は幅を狭く、刃元を覆う部分は幅を広くしている。
キャップ１０の正面中央には、名前シールを貼り付けることができる名前シール貼り付け部１０ａが設けられ、幅の広い端部は、刃体１を挿入するための刃体挿入口１０ｂが設けられている。
【００３１】
そして、キャップ１０の刃体挿入口１０ｂに刃体１を挿入した場合に、交差部２を固定するネジの外周に嵌って固定するキャップ固定部１０ｃが刃体挿入口１０ｂの内部に設けられている。
キャップ固定部１０ｃは、プラスチック等の可塑性の素材で、交差部２のネジの外周に沿った円形の形状となっており、交差部２を固定するネジに嵌合して固定する構成である。具体的には、突出するネジの円周部分に、キャップに設けた切込み部分が嵌合するようになっている。
【００３２】
［キャップ装着：図８］
そして、キャップ１０が第２のハサミに装着されている状態の概略図である。図８は、キャップを装着した概略図である。
図８に示すように、キャップ１０は、第２のハサミの刃体１を覆うように装着され、刃体挿入部１０ｂに形成されたキャップ固定部１０ｃが交差部２のネジの外周部分に嵌ってキャップ１０が簡単に抜けない構造となっている。
【００３３】
［第２のハサミの効果］
第２のハサミによれば、溝部４を刃先まで設けているため、テープ等を切った場合に、粘着物が刃先に付着することが少なく、刃先部分を含めて切れ味を良好に維持することができる効果がある。
また、第２のハサミでは、溝部４の幅を刃体後部１ｂの幅に比べて短くしているので、２つの刃体１同士が接触する面積が大きくなり、厚い紙でも容易に切ることができる効果がある。
更に、第２のハサミでは、溝部４に対して渡り部６を途中に設けているので、刃線の先端部が溝部４にはまり込むことがなく、ハサミが開くにくくなることがない。
【００３４】
［第３のハサミ］
次に、本考案の第３の実施の形態に係るハサミ（第３のハサミ）について説明する。
第２のハサミでは、２枚の刃体１の双方に溝部４と渡り部６を形成したが、第３のハサミでは、一方の刃体には第２のハサミと同様に溝部と渡り部を形成するようにし、他方の刃体には刃先までの溝部を形成するものの、渡り部を設けない構成としたものである。
【００３５】
２枚の刃体の双方に溝部と渡り部を形成すれば、刃先が溝部に入り込むことを完全に防止できるが、渡り部が一方の刃体にしか形成されていなくても刃先が溝部に入り込むことを防止できる効果はある。
【００３６】
［第３のハサミの効果］
第３のハサミによれば、一方の刃体に溝部は形成するものの、渡り部を設けない構成としているので、構成を簡略にできる。
また、第３のハサミによれば、第２のハサミとほぼ同様の効果を奏するものである。
【００３７】
［実施の形態の効果］
第１〜３のハサミによれば、刃体１の刃線の内側にその刃線に沿って溝部４を形成し、その溝部４によって刃体１の内側の面が刃線側の刃体前部１ａと峰側の刃体後部１ｂとに分離されると共に、溝部４の幅を刃体後部１ｂの幅より短くし、当該溝部４の一部に渡り部５，６を形成したものであり、溝部４によって粘着物の付着を防止でき、溝部４以外では刃体１相互の内側の接触面積を大きくしているため、厚い紙等も容易に切ることができ、更に渡り部５，６によって一方の刃先が他方の溝部４にはまってしまってハサミが開きにくくなることがないという効果がある。
【産業上の利用可能性】
【００３８】
本考案は、粘着性のテープを切っても粘着物の付着が少なくて切れ味が悪くならず、更に薄い紙から厚い紙まで総合的な切れ味を確保できるハサミに適している。
【符号の説明】
【００３９】
１...刃体、  １ａ...刃体前部、  １ｂ...刃体後部、  ２...交差部、  ３...刃部、  ４...溝部、  ５，６...渡り部、  ７...先端溝部、  ８...切断孔、  ９ａ，９ｂ...ハンドル部、  １０...キャップ、  １０ａ...名前シール貼り付け部、  １０ｂ...刃体挿入口、  １０ｃ...キャップ固定部
【図１】
0003180584.tif 000003
【図２】
0003180584.tif 000004
【図３】
0003180584.tif 000005
【図４】
0003180584.tif 000006
【図５】
0003180584.tif 000007
【図６】
0003180584.tif 000008
【図７】
0003180584.tif 000009
【図８】
0003180584.tif 000010